(57)【要約】【課題】ＤＳＳコンソールは多数のＤＳＳボタン及びＬＥＤを有しているため、ＬＥＤ点灯試験に際して、数多くのＤＳＳボタン操作と、試験者の視認が必要であった。【解決手段】１０段１０列のＤＳＳボタンと、当該ボタンに対応した１０段１０列の赤及び緑のＬＥＤとを備えたＤＳＳコンソールにおいて、所定のボタンを押下する度に、ＬＥＤが段毎、列毎に順次点灯／消灯を繰り返すように制御することで、ＤＳＳボタン操作を数分の１に軽減する。また、この赤及び緑のＬＥＤに対応してＬＥＤの点灯を検出するＬＥＤ点灯検出手段を設けることで、試験者の視認を不要にする。【選択図】      図１
2004172684.tif 000002
【特許請求の範囲】
【請求項１】
各々発呼する電話番号が割り当てられたＮ段Ｍ列（Ｎ、Ｍは自然数）のボタンと、当該ボタンに対応したＮ段Ｍ列のＬＥＤと、当該ボタンが押下されると割り当てられた電話番号に発呼し、対応した当該ＬＥＤの点灯／消灯を制御するＭＰＵとを備えた電話機用ＤＳＳコンソールのＬＥＤ点灯試験方式において、
当該ＭＰＵは、ＬＥＤ点灯試験時において、当該ボタンの何れか１を押下する度に、当該ＬＥＤの点灯／消灯を段毎又は列毎に順次遷移させることを特徴とするＬＥＤ点灯試験方式。
【請求項２】
前記ＭＰＵは、最左列又は最右列の前記ボタンを押下すると当該列のＬＥＤを点灯／消灯させ、最上段又は最下段の前記ボタンを押下すると当該列のＬＥＤを点灯／消灯させることを特徴とする請求項１記載のＬＥＤ点灯試験方式。
【請求項３】
各々発呼する電話番号が割り当てられたＮ段Ｍ列（Ｎ、Ｍは自然数）のボタンと、当該ボタンに対応したＮ段Ｍ列のＬＥＤと、当該ボタンが押下されると割り当てられた電話番号に発呼し、対応した当該ＬＥＤの点灯／消灯を制御するＭＰＵと、試験ボタンとを備えた電話機用ＤＳＳコンソールのＬＥＤ点灯試験方式において、
当該ＭＰＵは、前記試験ボタンを押下する度に、当該ＬＥＤの点灯／消灯を段毎又は列毎に順次遷移させることを特徴とするＬＥＤ点灯試験方式。
【請求項４】
各々発呼する電話番号が割り当てられたＮ段Ｍ列（Ｎ、Ｍは自然数）のボタンと、当該ボタンに対応したＮ段Ｍ列のＬＥＤと、当該ボタンが押下されると割り当てられた電話番号に発呼し、対応した当該ＬＥＤの点灯／消灯を制御するＭＰＵとを備えた電話機用ＤＳＳコンソールのＬＥＤ点灯試験方式において、
当該ＭＰＵは、所定時間毎に、当該ＬＥＤの点灯／消灯を段毎又は列毎に順次遷移させることを特徴とする請求項１記載のＬＥＤ点灯試験方式。
【請求項５】
前記ＬＥＤに対応して設けられ、当該ＬＥＤの点灯／消灯を検出する点灯検出手段を有し、当該点灯検出手段の検出結果を出力することを特徴とする請求項１〜４に記載のＬＥＤ点灯試験方式。
【請求項６】
前記点灯検出手段は、前記ＭＰＵで点灯制御するＬＥＤ点灯パターンを記憶しておき、前記検出結果と当該ＬＥＤ点灯パターンとを比較することを特徴とする請求項５に記載のＬＥＤ点灯試験方式。
【発明の詳細な説明】
【０００１】
【発明の属する技術分野】
本発明は、ボタン電話主装置に接続する電話機用コンソールのＬＥＤ点灯試験方式に関する。
【０００２】
【従来の技術】
一般に、ＤＳＳコンソールは、電話機と共にボタン電話主装置あるいはＰＢＸに接続され、複数のＤＳＳボタンと、そのＤＳＳボタンに対応する赤と緑の表示ＬＥＤとを備えている。
【０００３】
このＤＳＳボタンには、予めシステム内の内線電話機の内線番号が１つのＤＳＳボタンに対して１つ割り当てられており、対応するＬＥＤが点灯していれば当該内線番号が使用されていることを示し、消灯していれば未使用を示す等、ＬＥＤの点灯状態によって内線電話機の状態が分かるようになっている。また、ＬＥＤが消灯状態であれば、電話機のハンドセットをオフフックしてＤＳＳボタンを押すことで、対応の内線電話をワンタッチ操作で発呼することができる。
【０００４】
一方、ボタン電話主装置と接続して使用するＤＳＳコンソールのＬＥ点灯試験をする場合は、ＤＳＳコンソールのボタンを押しながら、ボタン電話主装置からのコネクタを接続することにより、点灯試験モードとなる。
【０００５】
そして、ＤＳＳボタンを一度押下すると、ＬＥＤの赤が点灯し、二度目の押下により、ＬＥＤの緑が点灯し、三度目の押下により、ＬＥＤが消灯する。これを全てのＤＳＳボタンについて行い、ＬＥＤ不良によりが点灯するか、製造不良によるブリッジ等によって１つのＬＥＤ点灯時に他のＬＥＤが点灯しないか、を確認していた。
【０００６】
【発明が解決しようとする課題】
しかし、ボタン電話主装置に接続する電話機用ＤＳＳコンソールは、多数のＤＳＳボタン及びＬＥＤを有しており、そのＬＥＤの点灯試験は、すべてのＬＥＤを点灯させると共にＬＥＤの色の種類を確認しなければならないため、数多くのＤＳＳボタン押下操作が必要になっていた。
【０００７】
そこで、本発明はかかる問題に鑑み、数分の１のＤＳＳボタン操作で、ＬＥＤ点灯試験を行うことを目的とする。
【０００８】
【課題を解決するための手段】
そこで本発明にかかるＬＥＤ点灯試験方式は、各々発呼する電話番号が割り当てられたＮ段Ｍ列（Ｎ、Ｍは自然数）のボタンと、当該ボタンに対応したＮ段Ｍ列のＬＥＤと、当該ボタンが押下されると割り当てられた電話番号に発呼し、対応した当該ＬＥＤの点灯／消灯を制御するＭＰＵとを備えた電話機用ＤＳＳコンソールのＬＥＤ点灯試験方式において、当該ＭＰＵは、ＬＥＤ点灯試験時において、当該ボタンの何れか１を押下する度に、当該ＬＥＤの点灯／消灯を段毎又は列毎に順次遷移させることとする。
【０００９】
この場合、前記ＭＰＵは、最左列又は最右列の前記ボタンを押下すると当該列のＬＥＤを点灯／消灯させ、最上段又は最下段の前記ボタンを押下すると当該列のＬＥＤを点灯／消灯させてもよい。
【００１０】
本発明にかかる他のＬＥＤ点灯試験方式は、各々発呼する電話番号が割り当てられたＮ段Ｍ列（Ｎ、Ｍは自然数）のボタンと、当該ボタンに対応したＮ段Ｍ列のＬＥＤと、当該ボタンが押下されると割り当てられた電話番号に発呼し、対応した当該ＬＥＤの点灯／消灯を制御するＭＰＵと、試験ボタンとを備えた電話機用ＤＳＳコンソールのＬＥＤ点灯試験方式において、当該ＭＰＵは、前記試験ボタンを押下する度に、当該ＬＥＤの点灯／消灯を段毎又は列毎に順次遷移させることとする。
【００１１】
本発明にかかる他のＬＥＤ点灯試験方式は、各々発呼する電話番号が割り当てられたＮ段Ｍ列（Ｎ、Ｍは自然数）のボタンと、当該ボタンに対応したＮ段Ｍ列のＬＥＤと、当該ボタンが押下されると割り当てられた電話番号に発呼し、対応した当該ＬＥＤの点灯／消灯を制御するＭＰＵとを備えた電話機用ＤＳＳコンソールのＬＥＤ点灯試験方式において、当該ＭＰＵは、所定時間毎に、当該ＬＥＤの点灯／消灯を段毎又は列毎に順次遷移させることとする。
【００１２】
本発明にかかる他のＬＥＤ点灯試験方式は、前記ＬＥＤに対応して設けられ、当該ＬＥＤの点灯／消灯を検出する点灯検出手段を有し、当該点灯検出手段の検出結果を出力することとしてもよく、また、前記点灯検出手段は、前記ＭＰＵで点灯制御するＬＥＤ表示パターンを記憶しておき、前記検出結果と当該ＬＥＤ表示パターンとを比較することとしてもよい。
【００１３】
【発明の実施の形態】
次に、本発明にかかる第１の実施例について図面を参照して説明する。図１は本発明にかかるＤＳＳコンソールのブロック図を示しており、図２はＤＳＳコンソールのＤＳＳボタン及びＬＥＤの配置図を示している。
【００１４】
ＤＳＳコンソールは、予めシステム内の内線電話機の内線番号が割り当てられてられるＤＳＳボタン１０１と、このＤＳＳボタン１０１に対応してそれぞれ設けられるＬＥＤ１０２と、このＤＳＳボタン１０１の押下により対応するＬＥＤ１０２の点灯／消灯を制御するＭＰＵ１０３と、ＬＥＤ点灯試験を行うソフトウェア等が格納されているＲＯＭ１０４により構成される。
【００１５】
本実施例ではＤＳＳボタンを１００個とし、ＬＥＤを赤と緑の２種類をそれぞれ１００個としており、ＤＳＳボタン及びＬＥＤの配置は、図２に示すように、ＤＳＳボタン１〜１００がＮ段Ｍ列（本実施例では１０段１０列）に配され、ＤＳＳボタン１〜１００に対応して赤のＬＥＤ及び緑のＬＥＤがそれぞれＮ段Ｍ列（本実施例では１０段１０列）に配される。
【００１６】
次に、ＬＥＤ点灯試験の動作について図３のフローチャートをも参照して説明する。
【００１７】
まず、所定の操作により点灯試験モードにする。そして、予め設定されたボタン（本実施例ではＤＳＳボタン１００）を押下すると、最上段の赤のＬＥＤ１〜１０が点灯する。次いで、ＤＳＳボタン１００を押下すると、赤のＬＥＤ１〜１０が消灯し、赤のＬＥＤ１１〜２０（２段目）が点灯する。次いで、ＤＳＳボタン１００を押下すると、赤のＬＥＤ１１〜２０が消灯し、赤のＬＥＤ２１〜３０（３段目）が点灯する。以降、ＤＳＳボタン１００を押下する毎に、図３に示すように遷移し、赤のＬＥＤ９１〜１００が点灯した後、更にＤＳＳボタン１００を押下すると、赤のＬＥＤ９１〜１００が消灯し、赤のＬＥＤ１、１１、２１〜９１（最左列）が点灯する。次いで、ＤＳＳボタン１００を押下すると、赤のＬＥＤ１、１１、２１〜９１が消灯し、赤のＬＥＤ２、１２、２２〜９２（２列目）が点灯する。次いで、ＤＳＳボタン１００を押下すると、赤のＬＥＤ２、１２、２２〜９２が消灯し、赤のＬＥＤ３、１３、２３〜９３（３列目）が点灯する。以降、ＤＳＳボタン１００を押下する毎に、図３に示すように遷移し、赤のＬＥＤ１０、２０、３０〜１００（最右列）が点灯した後、更にＤＳＳボタン１００を押下すると、赤のＬＥＤ１０、２０、３０〜１００が消灯し、緑のＬＥＤ１〜１０（最上段）が点灯する。以降、ＤＳＳボタン１００を押下する度に、赤のＬＥＤと同様に、図３に示すように遷移していく。
【００１８】
ここで、試験者は、遷移していく赤及び緑のＬＥＤの点灯／消灯を視認し、正常に点灯しているかを確認することでＬＥＤ点灯試験が行われる。
【００１９】
なお、本例ではＤＳＳボタン１００を押下することにより赤及び緑のＬＥＤの点灯／消灯を順次遷移させているが、ＤＳＳボタン１００ではなく、別に設けられた専用のボタンであっても良く、他の機能を併せ持ったボタンによっても同様である。
【００２０】
次に、本発明にかかる第２の実施例について説明する。
【００２１】
第１の実施例では、試験者の操作が煩雑であるため、試験者の操作を最小限にしたいとの要請がある。そこで、第２の実施例は、所定の操作により点灯試験モードに移行した後、試験者が予め設定されたボタン（本実施例ではＤＳＳボタン１００）を押下すると、ＭＰＵは、図３に示す赤及び緑のＬＥＤの点灯／消灯の状態遷移を、所定時間毎（例えば５００ｍｓｅｃ毎）に行わせるようにする。
【００２２】
そして、試験者は、遷移していく赤及び緑のＬＥＤの点灯／消灯を視認し、正常に点灯しているかを確認することでＬＥＤ点灯試験が行われる。
【００２３】
次に、本発明にかかる第３の実施例について説明する。
【００２４】
第１及び第２の実施例では、試験者の視認によりＬＥＤ点灯試験の確認を行っているため、試験者の眼精疲労等により異常を見過ごすことも考えられる。そこで、第３の実施例では、更にＬＥＤ点灯検出手段により試験者の視認を不要としている。
【００２５】
ＬＥＤ点灯検出手段について図４〜７を参照して説明する。
【００２６】
ＬＥＤ点灯検出手段１０５は、赤及び緑のＬＥＤの点灯／消灯を検出するＬＥＤ点灯検出部１０６とを備えている。なお、ＬＥＤ点灯検出部は、赤及び緑のＬＥＤそれぞれに対応して２００個備えている。
【００２７】
試験を行う際は、図５に示すように、ＬＥＤ点灯検出手段１０５をＤＳＳコンソール１０７に被せることで、ＬＥＤ点灯検出部１０６が対応する赤及び緑のＬＥＤの点灯／消灯を検出する。
【００２８】
そして、第１の実施例のように試験者が所定のボタンを押下する度に、又は、第２の実施例のように赤及び緑のＬＥＤを自動で点灯／消灯を遷移させる度に、ＬＥＤ点灯検出部１０６がＬＥＤの点灯を検出し、点灯させたＬＥＤが点灯しているか、他のＬＥＤが点灯していないかを確認する。
【００２９】
ＬＥＤ点灯検出手段１０５は予めＬＥＤが点灯／消灯するＬＥＤ点灯パターンを入手しておき、このＬＥＤ点灯パターンとＬＥＤ点灯検出部１０６で検出した結果を比較することで、ＬＥＤ点灯／消灯の確認を行うことができる。
【００３０】
このＬＥＤ点灯検出手段１０５は、図６に示すように主装置を介して電話機１０８に接続され、ＬＥＤ点灯検出手段１０５での検出結果又は確認結果を電話機１０８のＬＣＤ１０９で表示させることにより、試験結果を判断することができる。また、図７に示すようにＬＥＤ点灯検出手段１０５に接続されたプリンタ１１０に検出結果又は確認結果を印字することで、試験結果を判断することもできる。
【００３１】
【発明の効果】
以上説明したように、本発明によれば、ＤＳＳコンソールのＬＥＤを段毎、又は列毎に点灯／消灯を遷移させるため、試験のためのボタン操作を数分の１に軽減することが可能となる。
【００３２】
また、試験のためのＬＥＤの点灯／消灯を自動で行うことにより、試験のためのボタン操作をほぼ不要とすることが可能となる。
【００３３】
さらに、ＬＥＤの点灯／消灯を検出するＬＥＤ点灯検出手段を備えたことにより、ＬＥＤの点灯／消灯の確認に試験者の視認を不要にでき、試験確認の確実性を向上させることが可能となる。
【図面の簡単な説明】
【図１】本発明にかかるＬＥＤコンソールのブロック図を示している。
【図２】ＤＳＳコンソールのＤＳＳボタン及びＬＥＤの配置図を示している。
【図３】赤及び緑のＬＥＤの点灯／消灯の遷移フローチャートを示している。
【図４】ＬＥＤ点灯検出手段のＬＥＤ点灯検出部の配置図を示している。
【図５】ＬＥＤ点灯検出手段をＤＳＳコンソールに被せた状態を示している。
【図６】ＬＥＤ点灯検出手段の使用態様１を示している。
【図７】ＬＥＤ点灯検出手段の使用態様２を示している。
【符号の説明】
１〜１０１  ＤＳＳボタン
１０２      ＬＥＤ
１０３      ＭＰＵ
１０４      ＲＯＭ
１０５      ＬＥＤ点灯検出手段
１０６      ＬＥＤ点灯検出部
１０７      ＤＳＳコンソール
１０８      電話機
１０９      ＬＣＤ
１１０      プリンタ
【図１】
2004172684.tif 000003
【図２】
2004172684.tif 000004
【図３】
2004172684.tif 000005
【図４】
2004172684.tif 000006
【図５】
2004172684.tif 000007
【図６】
2004172684.tif 000008
【図７】
2004172684.tif 000009